(57)【要約】      （修正有）【課題】黒板類の表面やスチールパーティションなどの磁着可能な壁に対して、エアー侵入、弛みの発生の問題が生じることなく外観体裁よくマグネットスクリーンを張り付け可能なケース一体型マグネットスクリーンを提供する。【解決手段】ケース一体型マグネットスクリーンは、ケース２と、このケース２に対して巻き込み収納可能又は引き出し可能に設けたマグネットスクリーン３と、マグネットスクリーン３の引き出し端に取り付けたエンドバー４と、エンドバー４の上端部、下端部に各々取り付けられ、エンドバー４を黒板類の表面に磁着する一対のマグネット５、５と、を有する。ケース２におけるマグネットスクリーン３の引き出し領域の外側位置に回転可能に取り付けられ、エンドバー４を黒板類の表面に磁着した状態で前記ケース２の移動とともに黒板類の表面に転接し、マグネットスクリーン３の黒板類の表面への案内を行う一対のガイドローラー９を設ける。【選択図】図１
0003195909.tif 000002
【実用新案登録請求の範囲】
【請求項１】
底面に黒板類の表面に磁着するためのケースマグネットを取り付けたケースと、
このケースに対して巻き込み収納可能又は引き出し可能に設けた長尺帯状で画像投影用に構成したマグネットスクリーンと、
前記マグネットスクリーンの引き出し端に取り付けたエンドバーと、
前記エンドバーの上端部、下端部に各々取り付けられ、エンドバーを黒板類の表面に磁着する一対のマグネットと、
を有するケース一体型マグネットスクリーンであって、
前記ケースにおけるマグネットスクリーンの巻き込み又は引き出し領域の近傍に設けられ、前記エンドバーを黒板類の表面に磁着した状態で前記ケースの移動とともに前記黒板類の表面に転接し、前記ケースから引き出されるマグネットスクリーンの前記黒板類の表面への張り付け案内を行うローラーを用いた張り付け案内機構部を設けたことを特徴とするケース一体型マグネットスクリーン。
【請求項２】
底面に黒板類の表面に磁着するためのケースマグネットを取り付けたケースと、
このケースに対して巻き込み収納可能又は引き出し可能に設けた長尺帯状で画像投影用に構成したマグネットスクリーンと、
前記マグネットスクリーンの引き出し端に取り付けたエンドバーと、
前記エンドバーの上端部、下端部に各々取り付けられ、エンドバーを黒板類の表面に磁着する一対のマグネットと、
を有するケース一体型マグネットスクリーンであって、
前記ケースにおけるマグネットスクリーンの巻き込み又は引き出し領域の外側位置に回転可能に取り付けられ、前記エンドバーを黒板類の表面に磁着した状態で前記ケースの移動とともに前記黒板類の表面に転接し、前記ケースから引き出されるマグネットスクリーンの前記黒板類の表面への張り付け案内を行う一対のガイドローラーを設けたことを特徴とするケース一体型マグネットスクリーン。
【請求項３】
底面に黒板類の表面に磁着するためのケースマグネットを取り付けたケースと、
このケースに対して巻き込み収納可能又は引き出し可能に設けた長尺帯状で画像投影用に構成したマグネットスクリーンと、
前記マグネットスクリーンの引き出し端に取り付けたエンドバーと、
前記エンドバーの上端部、下端部に各々取り付けられ、エンドバーを黒板類の表面に磁着する一対のマグネットと、
を有するケース一体型マグネットスクリーンであって、
前記ケースにおけるマグネットスクリーンの巻き込み又は引き出し領域の近傍で、かつ、前記ケースに沿って回転可能に取り付けられ、前記エンドバーを黒板類の表面に磁着した状態で前記ケースの移動とともに伸張するマグネットスクリーン面に当接してこのマグネットスクリーンを前記黒板類の表面に押し付けるロングガイドローラーを設けたことを特徴とするケース一体型マグネットスクリーン。
【請求項４】
底面に黒板類の表面に磁着するためのケースマグネットを取り付けたケースと、
このケースに対して巻き込み収納可能又は引き出し可能に設けた長尺帯状で画像投影用に構成したマグネットスクリーンと、
前記マグネットスクリーンの引き出し端に取り付けたエンドバーと、
前記エンドバーの上端部、下端部に各々取り付けられ、エンドバーを黒板類の表面に磁着する一対のマグネットと、
を有するケース一体型マグネットスクリーンであって、
前記ケースにおけるマグネットスクリーンの巻き込み又は引き出し領域の近傍で、かつ、前記ケースに沿って、かつ、先端縁を前記マグネットスクリーンの伸張領域側に向けて取り付けられ、前記エンドバーを黒板類の表面に磁着した状態で前記ケースの移動とともに伸張するマグネットスクリーン面に当接してこのマグネットスクリーンを前記黒板類の表面に押し付けるスクレーパーを設けたことを特徴とするケース一体型マグネットスクリーン。
【請求項５】
底面に黒板類の表面に磁着するためのケースマグネットを取り付けたケースと、
このケースに対して巻き込み収納可能又は引き出し可能に設けた長尺帯状で画像投影用に構成したマグネットスクリーンと、
前記マグネットスクリーンの引き出し端に取り付けたエンドバーと、
前記エンドバーの上端部、下端部に各々取り付けられ、エンドバーを黒板類の表面に磁着する一対のマグネットと、
を有するケース一体型マグネットスクリーンであって、
前記ケースにおけるマグネットスクリーンの巻き込み又は引き出し領域の外側位置に回転可能に取り付けられ、前記エンドバーを黒板類の表面に磁着した状態で前記ケースの移動とともに前記黒板類の表面に転接し、前記ケースから引き出されるマグネットスクリーンの前記黒板類の表面への張り付け案内を行う一対のガイドローラーと、前記エンドバーを黒板類の表面に磁着した状態で前記ケースの移動とともに伸張するマグネットスクリーン面に当接してこのマグネットスクリーンを前記黒板類の表面に押し付けるスクレーパーとを設けたことを特徴とするケース一体型マグネットスクリーン。
【請求項６】
黒板類の表面には、前記ケース又はエンドバーを黒板類に対して一定方向に位置決めして磁着させるための案内を行う方眼状クロス線又はＬ型案内線からなる位置決め案内指標が設けられていることを特徴とする請求項１乃至５のいずれか１項に記載のケース一体型マグネットスクリーン。
【考案の詳細な説明】
【技術分野】
【０００１】
本考案は、ケース一体型マグネットスクリーンに関し、詳しくは、黒板類の表面やスチールパーティションなどの磁着可能な壁に対して、外観体裁よくマグネットスクリーンを張り付けることができ、また、正確に位置決めしてマグネットスクリーンを張り付けることができるケース一体型マグネットスクリーンに関するものである。
【背景技術】
【０００２】
従来、学校教室等の教育現場やオフィス等における会議室等に設置した黒板類（黒板又はホワイトボード）やスチールパーティションなどの磁着可能な壁を利用して、その表面に画像表示用のマグネットスクリーンを張り付け、プロジェクターから当該スクリーンに各種画像、文字等の情報を投影して学校教育を実施したり会議を進行したりすることが多く行われている。
【０００３】
このようなマグネットスクリーンは、投影時のみ、黒板類に張り付け、使用しない場合はスクリーンをケース内に収納し、黒板類の脇に立て掛けるなどして保管できるものである。
【０００４】
上述したような用途に用いられるケース一体型マグネットスクリーンの従来例について以下に概説する。
【０００５】
従来におけるケース一体型マグネットスクリーン１００は、図３８乃至図４０に示すように、直方体筒箱状のケース１０１と、このケース１０１内に巻き込み収納可能又は引き出し可能に設けた長尺帯状で画像投影用に構成したマグネットスクリーン１１１と、前記マグネットスクリーン１１１の引き出し端に一体に取り付けたエンドバー１０３と、前記エンドバー１０３の上端部、下端部に各々取り付けたマグネット（永久磁石）１０４、１０４と、前記エンドバー１０３の長さ方向中央部に取り付けた引き出し用の取っ手１０５と、を有している。
【０００６】
前記ケース１０１の長さ方向中央部には、持ち運び等の便宜を図るためケース取っ手１０６を取り付けている。
【０００７】
また、前記ケース１０１の底面には、その略全長にわたって黒板類１２１の表面に磁着するためのケースマグネット１０７を一体に取り付けている。
【０００８】
なお、前記黒板類１２１は、マグネット１０４が磁着可能に構成されているものとして以下の説明を行う。
【０００９】
次に、前記ケース一体型マグネットスクリーン１００の黒板類１２１に対する磁着態様について図４１を参照して説明する。
【００１０】
前記ケース一体型マグネットスクリーン１００を黒板類１２１の表面に張り付けるには、例えば、図４１に示すように、ケース１０１をケースマグネット１０７を利用して黒板類１２１の表面に上下方向となる配置で磁着する
【００１１】
そして、前記取っ手１０５を手に持ち、マグネットスクリーン１１１をケース１０１から所望の寸法横方向に引き出した後、前記エンドバー１０３の両端に設けたマグネット１０４、１０４を各々黒板類１２１に磁着することで、に示すようにマグネットスクリーン１１１を黒板類１２１の表面に張り付ける。
【００１２】
しかしながら、上述したケース一体型マグネットスクリーン１００の場合、マグネットスクリーン１１１を黒板類１２１の表面に密接又は近接させるための格別の工夫はなされていないため、図４２に示すように、マグネットスクリーン１１１と黒板類１２１との間にエアー１２２（図４２において楕円形で示す）が入ったり、マグネットスクリーン１１１の縁部に弛み１２３が生じたりして、一度剥がしてから張り付け直すという余分な手間が必要であった。
【００１３】
また、黒板類１２１自体には通常何らかの目印になるような指標存在しないため、最初に黒板類１２１に対してケース１０１を垂直方向に正確に磁着させないと、マグネットスクリーン１１１が図４３に示すように傾斜配置になってしまう等の問題を包含している。
【００１４】
上述したエアー１２２、弛み１２３の発生、及び、マグネットスクリーン１１１の傾斜配置という状態は、いずれもプロジェクターからの各種画像等の投影に支障を来すものである。
【００１５】
特許文献１には、筆記及び消去が可能なシート体で、裏面にマグネットシートが形成されたシートと、該シートの一側に取り付けられた少なくとも一つの第１永久磁石と、上記シートの他側に取り付けられた少なくとも一つの第２永久磁石と巻取り具とを有し、該巻取り具は、筒体と、該筒体の両端にそれぞれ取り付けられたキャップと、該キャップに取り付けられた留め具と、該留め具に連結され留め具を上記筒体の内部に付勢する弾性部材とを備え、上記第１永久磁石は、その両端にそれぞれ取り付けられたカバーを備え、シートにクラックや皺が発生したり、その両端部に反りが発生したりすることのないとする巻取り具付き筆記用シート体が提案されている。
【００１６】
特許文献２には、被磁着体に対し着脱自在で矩形状のシート状部材とその巻取り具であって、上記シート状部材の左右の端部の上端及び下端にそれぞれ永久磁石を取り付ける一方、上記巻取り具を軸方向に形成された凹部を有する円筒状の筒体と、該筒体の両端に取り付けられ嵌合部を有するキャップとで構成し、上記永久磁石を被磁着体に磁着させることにより上記シート状部材を被磁着体に取り付ける一方、上記シート状部材を被磁着体から取り外すに際し、上記シート状部材の左右の端部の一方の上端及び下端に形成されたフックを上記嵌合部に嵌合させるとともに、上記シート状部材の左右の端部の上記一方の上端及び下端に位置する上記永久磁石を上記凹部に収容して上記シート状部材を上記巻取り具に巻き取るようにし、容易に巻き取り可能で、巻取り操作を誤ってもクラックや皺が発生したり、端部に反りが発生したりすることが内とするシート状部材とその巻取り具が提案されている。
【００１７】
特許文献３には、シート体の出入用スリットを備えた筒状の収納ケースと、通常はこの収納ケース内に収納され、使用時に上記出入用スリットから引出されて使用されるシート体とを備えたシート体の収納装置において、上記収納ケースに、該収納ケースを被磁着面に磁着させる永久磁石を設けるとともに、上記永久磁石を被磁着面から離隔させ、該永久磁石の被磁着面に対する磁着力を低減させて上記収納ケースを被磁着面から容易に離脱させる離脱手段を設け、シート体を収納ケース内に収納して運搬や保管することができ、かつ、使用箇所に対する制限が少ないとするシート体の収納装置が提案されている。
【００１８】
しかしながら、上述した特許文献１乃至３のいずれにも、シート（シート状部材、シート体）を黒板類の表面に密接又は近接させるための格別の工夫はなされておらず、このため、既述した従来例の場合と同様、エアー、弛みの発生の問題、更には、シートが傾斜配置で黒板類に張り付けられてしまうという問題を包含している。
【先行技術文献】
【特許文献】
【００１９】
【特許文献１】特許第４２２１１３８号公報
【特許文献２】特許第４５２００６４号公報
【特許文献３】特開２００６−１６８９１６号公報
【考案の概要】
【考案が解決しようとする課題】
【００２０】
本考案が解決しようとする問題点は、黒板類の表面とスクリーン内面との間にエアーが侵入したり、スクリーンの弛み発生の問題が生じることなく外観体裁よくマグネットスクリーンを張り付けることができ、また、傾斜配置ではなく正確に水平配置にマグネットスクリーンを張り付けることができるようなケース一体型マグネットスクリーンが従来存在しない点である。
【課題を解決するための手段】
【００２１】
本考案は、底面に黒板類の表面に磁着するためのケースマグネットを取り付けたケースと、このケースに対して巻き込み収納可能又は引き出し可能に設けた長尺帯状で画像投影用に構成したマグネットスクリーンと、前記マグネットスクリーンの引き出し端に取り付けたエンドバーと、前記エンドバーの上端部、下端部に各々取り付けられ、エンドバーを黒板類の表面に磁着する一対のマグネットと、を有するケース一体型マグネットスクリーンであって、前記ケースにおけるマグネットスクリーンの巻き込み又は引き出し領域の近傍に設けられ、前記エンドバーを黒板類の表面に磁着した状態で前記ケースの移動とともに前記黒板類の表面に転接し、前記ケースから引き出されるマグネットスクリーンの前記黒板類の表面への張り付け案内を行うローラーを用いた張り付け案内機構部を設けたことを最も主要な特徴とする。
【考案の効果】
【００２２】
請求項１記載の考案によれば、マグネットスクリーンの黒板類の表面への張り付け案内を行うローラーを用いた張り付け案内機構部を設けたことにより、マグネットスクリーンを黒板類の表面に沿って密接又は近接状態で、かつ、エアーの侵入や、弛みの発生を伴うことなく外観体裁よく張り付けることができるケース一体型マグネットスクリーンを実現し提供することができる。
【００２３】
請求項２記載の考案によれば、ケースにおけるマグネットスクリーンの巻き込み又は引き出し領域の外側位置に回転可能に取り付けられ、前記エンドバーを黒板類の表面に磁着した状態で前記ケースの移動とともに前記黒板類の表面に転接し、前記ケースから引き出されるマグネットスクリーンの前記黒板類の表面への張り付け案内を行う一対のガイドローラーを設けたことにより、マグネットスクリーンを黒板類の表面に沿って密接又は近接状態で、かつ、エアーの侵入や、弛みの発生を伴うことなく外観体裁よく張り付けることができるケース一体型マグネットスクリーンを実現し提供することができる。
【００２４】
請求項３記載の考案によれば、ケースにおけるマグネットスクリーンの巻き込み又は引き出し領域の近傍で、かつ、前記ケースに沿って回転可能に取り付けられ、前記エンドバーを黒板類の表面に磁着した状態で前記ケースの移動とともに伸張するマグネットスクリーン面に当接してこのマグネットスクリーンを前記黒板類の表面に押し付けるロングガイドローラーを設けたことにより、ロングガイドローラーによる押し付け力を利用して、マグネットスクリーンを黒板類の表面に沿って密接又は近接状態で、かつ、エアーの侵入や、弛みの発生を伴うことなく外観体裁よく張り付けることができるケース一体型マグネットスクリーンを実現し提供することができる。
【００２５】
請求項４記載の考案によれば、ケースにおけるマグネットスクリーンの巻き込み又は引き出し領域の近傍で、かつ、前記ケースに沿って、かつ、先端縁を前記マグネットスクリーンの伸張領域側に向けて取り付けられ、前記エンドバーを黒板類の表面に磁着した状態で前記ケースの移動とともに伸張するマグネットスクリーン面に当接してこのマグネットスクリーンを前記黒板類の表面に押し付けるスクレーパーを設けたことにより、スクレーパーによる押し付け力を利用して、マグネットスクリーンを黒板類の表面に沿って密接又は近接状態で、かつ、エアーの侵入や、弛みの発生を伴うことなく外観体裁よく張り付けることができるケース一体型マグネットスクリーンを実現し提供することができる。
【００２６】
請求項５記載の考案によれば、ケースにおけるマグネットスクリーンの巻き込み又は引き出し領域の外側位置に回転可能に取り付けられ、前記エンドバーを黒板類の表面に磁着した状態で前記ケースの移動とともに前記黒板類の表面に転接し、前記ケースから引き出されるマグネットスクリーンの前記黒板類の表面への張り付け案内を行う一対のガイドローラーと、前記エンドバーを黒板類の表面に磁着した状態で前記ケースの移動とともに伸張するマグネットスクリーン面に当接してこのマグネットスクリーンを前記黒板類の表面に押し付けるスクレーパーと、を設けたことにより、マグネットスクリーンを前記スクレーパーと、前記一対のローラーとの双方を利用して、黒板類の表面に沿ってより密接状態で、かつ、エアーの侵入や、弛みの発生を伴うことなく外観体裁よく張り付けることができるケース一体型マグネットスクリーンを実現し提供することができる。
【００２７】
請求項６記載の考案によれば、請求項１乃至５のいずれかに記載のケース一体型マグネットスクリーンにおいて、黒板類の表面には、前記ケース又はエンドバーを黒板類に対して一定方向に位置決めして磁着させるための案内を行う方眼状クロス線又はＬ型案内線からなる位置決め案内指標が設けられていることにより、請求項１乃至５のいずれかに記載の考案の効果を奏するとともに、位置決め案内指標を利用してマグネットスクリーンを正確に一定方向に位置決めすることもできるケース一体型マグネットスクリーンを実現し提供することができる。
【図面の簡単な説明】
【００２８】
【図１】図１は本考案の実施例１に係るケース一体型マグネットスクリーンのマグネットスクリーンを引き出した状態を示す正面図である。
【図２】図２は本実施例１に係るケース一体型マグネットスクリーンのマグネットスクリーンをケースに収納した状態を示す正面図である。
【図３】図３は本実施例１に係るケース一体型マグネットスクリーンの底面図である。
【図４】図４は本実施例１に係るケース一体型マグネットスクリーンの部分拡大図である。
【図５】図５は本実施例１に係るケース一体型マグネットスクリーンのケースを黒板類の表面に配置しエンドバーを黒板類の表面に磁着した状態を示す概略正面図である。
【図６】図６は本実施例１に係るケース一体型マグネットスクリーンにおいてケースをローラーが黒板類の表面に転接するように転動させた状態を示す概略正面図である。
【図７】図７は図６に示す状態からケースを黒板類の表面に沿って移動させマグネットスクリーンの一部を引き出した状態の概略説明図である。
【図８】図８は本実施例１に係るケース一体型マグネットスクリーンの黒板類の表面に対する張り付け態様を示す概略正面図である。
【図９】図９は本考案の実施例２に係るケース一体型マグネットスクリーンのマグネットスクリーンを引き出した状態を示す正面図である。
【図１０】図１０は本実施例２に係るケース一体型マグネットスクリーンのマグネットスクリーンをケースに収納した状態を示す正面図である。
【図１１】図１１は本実施例２に係るケース一体型マグネットスクリーンの底面図である。
【図１２】図１２は本実施例２に係るケース一体型マグネットスクリーンの部分拡大図である。
【図１３】図１３は本実施例２に係るケース一体型マグネットスクリーンのケースを黒板類の表面に配置しエンドバーを黒板類の表面に磁着した状態を示す概略正面図である。
【図１４】図１４は本実施例２に係るケース一体型マグネットスクリーンにおいてケースをロングローラーがマグネットスクリーンの表面に転接するように転動させた状態を示す概略正面図である。
【図１５】図１５は図１４に示す状態からケースを黒板類の表面に沿って移動させマグネットスクリーンの一部を引き出した状態の概略説明図である。
【図１６】図１６は本実施例２に係るケース一体型マグネットスクリーンの黒板類の表面に対する張り付け態様を示す概略正面図である。
【図１７】図１７は本考案の実施例３に係るケース一体型マグネットスクリーンのマグネットスクリーンを引き出した状態を示す正面図である。
【図１８】図１８は本実施例３に係るケース一体型マグネットスクリーンのマグネットスクリーンをケースに収納した状態を示す正面図である。
【図１９】図１９は本実施例３に係るケース一体型マグネットスクリーンの底面図である。
【図２０】図２０は本実施例３に係るケース一体型マグネットスクリーンの部分拡大図である。
【図２１】図２１は本実施例３に係るケース一体型マグネットスクリーンのケースを黒板類の表面に配置しエンドバーを黒板類の表面に磁着した状態を示す概略正面図である。
【図２２】図２２は本実施例３に係るケース一体型マグネットスクリーンにおいてケースをスクレーパーがマグネットスクリーンの表面に当接するように転動させた状態を示す概略正面図である。
【図２３】図２３は図２２に示す状態からケースを黒板類の表面に沿って移動させマグネットスクリーンの一部を引き出した状態の概略説明図である。
【図２４】図２４は本実施例３に係るケース一体型マグネットスクリーンの黒板類の表面に対する張り付け態様を示す概略正面図である。
【図２５】図２５は本考案の実施例４に係るケース一体型マグネットスクリーンのマグネットスクリーンを引き出した状態を示す正面図である。
【図２６】図２６は本実施例４に係るケース一体型マグネットスクリーンのマグネットスクリーンをケースに収納した状態を示す正面図である。
【図２７】図２７は本実施例４に係るケース一体型マグネットスクリーンの底面図である。
【図２８】図２８は本実施例４に係るケース一体型マグネットスクリーンの部分拡大図である。
【図２９】図２９は本実施例４に係るケース一体型マグネットスクリーンのケースを黒板類の表面に配置しエンドバーを黒板類の表面に磁着した状態を示す概略正面図である。
【図３０】図３０は本実施例４に係るケース一体型マグネットスクリーンにおいてケースをローラーが黒板類の表面に転接し、かつ、スクレーパーがマグネットスクリーンの表面に当接するように転動させた状態を示す概略正面図である。
【図３１】図３１は図３０に示す状態からケースを黒板類の表面に沿って移動させマグネットスクリーンの一部を引き出した状態の概略説明図である。
【図３２】図３２は本実施例４に係るケース一体型マグネットスクリーンの黒板類の表面に対する張り付け態様を示す概略正面図である。
【図３３】図３３は本考案の実施例５を示すものであり、実施例３に係るケース一体型マグネットスクリーンのケースを黒板類の表面の方眼状クロス線を利用して位置決め配置し、エンドバーを黒板類の表面に磁着した状態を示す概略正面図である。
【図３４】図３４は図３３に示す状態からケースを黒板類の表面に沿って移動させマグネットスクリーンを黒板類の表面に正確に位置決めし張り付ける態様を示す概略説明図である。
【図３５】図３５は本考案の実施例６を示すものであり、表面にＬ型案内線を付した黒板類を示す正面図である。
【図３６】図３６は本考案の実施例６を示すものであり、実施例３に係るケース一体型マグネットスクリーンのケースを黒板類の表面のＬ型案内線を利用して位置決め配置し、エンドバーを黒板類の表面に磁着した状態を示す概略正面図である。
【図３７】図３７は図３６に示す状態からケースを黒板類の表面に沿って移動させマグネットスクリーンを黒板類の表面に正確に位置決めし張り付ける態様を示す概略説明図である。
【図３８】図３８は従来のケース一体型マグネットスクリーンのマグネットスクリーンを引き出した状態を示す正面図である。
【図３９】図３９は従来のケース一体型マグネットスクリーンのマグネットスクリーンを収納した状態を示す正面図である。
【図４０】図４０は従来のケース一体型マグネットスクリーンの底面図である。
【図４１】図４１は従来のケース一体型マグネットスクリーンの黒板類の表面に対する張り付け態様を示す概略説明図である。
【図４２】図４２は従来のケース一体型マグネットスクリーンのマグネットスクリーンを黒板類の表面に張り付けた状態で生じるエアー部分を示す説明図である。
【図４３】図４３は従来のケース一体型マグネットスクリーンのマグネットスクリーンを黒板類の表面に張り付けた状態で生じる傾斜状態を示す説明図である。
【考案を実施するための形態】
【００２９】
本考案は、黒板類の表面に対して、エアー侵入、弛みの発生の問題が生じることなく外観体裁よくマグネットスクリーンを張り付けることができるケース一体型マグネットスクリーンを提供するという目的を、底面に黒板類の表面に磁着するためのケースマグネットを取り付けたケースと、このケースに対して巻き込み収納可能又は引き出し可能に設けた長尺帯状で画像投影用に構成したマグネットスクリーンと、前記マグネットスクリーンの引き出し端に取り付けたエンドバーと、前記エンドバーの上端部、下端部に各々取り付けられ、エンドバーを黒板類の表面に磁着する一対のマグネットと、を有するケース一体型マグネットスクリーンであって、前記ケースにおけるマグネットスクリーンの巻き込み又は引き出し領域の外側位置に回転可能に取り付けられ、前記エンドバーを黒板類の表面に磁着した状態で前記ケースの移動とともに前記黒板類の表面に転接し、前記ケースから引き出されるマグネットスクリーンの前記黒板類の表面への張り付け案内を行う一対のガイドローラーを設けた構成により実現した。
【実施例】
【００３０】
以下、本考案の実施例に係るケース一体型マグネットスクリーンについて図面を参照して詳細に説明する。
【００３１】
（実施例１）
図１乃至図８を参照して本考案の実施例１に係るケース一体型マグネットスクリーン１について説明する。
【００３２】
本実施例１に係るケース一体型マグネットスクリーン１は、図１乃至図４に示すように、直方体筒箱状のケース２と、このケース２の長さ方向の一端側の底部側隅部に設けた後述するマグネットスクリーン３の巻き込み又は引き出し領域であるスリット（図示せず）を経て前記ケース２内に巻き込み収納可能又は引き出し可能に設けた長尺帯状で画像投影用に構成したマグネットスクリーン３と、前記マグネットスクリーン３の引き出し端に一体に取り付けたエンドバー４と、前記エンドバー４の上端部、下端部に各々直結する状態で取り付けた黒板類１２１の表面に磁着するための一対の（強力）マグネット（永久磁石）５、５と、前記エンドバー４の長さ方向中央部に取り付けた引き出し用の取っ手６と、を有している。
【００３３】
前記下側のマグネット５の下端位置は前記ケース２の下端よりも所定寸法上側を占める位置に、上側のマグネット５の上端位置は前記ケース２の上端よりも所定寸法下側を占める位置となるように設定している。
【００３４】
また、前記ケース２の底面には、その略全長にわたって例えば学校教室の壁面に垂直配置に取り付けた黒板類１２１の表面に磁着するためのケースマグネット７を一体に取り付けている。更に、前記ケース２は取っ手２ａを備えている。
【００３５】
なお、前記黒板類１２１の構成は、既述した従来例の場合と同様である。
【００３６】
前記ケース２の上端面、下端面には、図３、図４にも示すように、一対のローラー固定具８、８が平行配置に取り付けている。
【００３７】
そして、一対のローラー固定具８、８によって、一対のガイドローラー９、９を各々回転可能に支持している。
【００３８】
すなわち、一対のガイドローラー９、９を前記マグネットスクリーン３をケース２内に収納した状態において、前記一対のマグネット５、５の近傍位置を占める位置となるように、かつ、前記ケース２の長さ方向に沿う配置で支持している。
【００３９】
次に、本実施例１に係るケース一体型マグネットスクリーン１の具体的使用態様について、図５乃至図８を参照して説明する。
【００４０】
まず、図５に示すように、前記エンドバー４側の一対のマグネット５、５を利用して前記前記エンドバー４を黒板類１２１の所定位置（例えば図５において右側端部近傍）に垂直配置に磁着する。
【００４１】
次に、図６、図７に示すように、前記ケース２を両手で支えつつ前記ケース２を上下のガイドローラー９、９が黒板類１２１の表面に転接するようにケース２を回動させる。次に、図８に示すように、上下のガイドローラー９、９をいずれも黒板類１２１の表面に転接させながら前記ケース２を両手で支えつつ図８上欄に示すように左方に移動させ、前記マグネットスクリーン３をケース２内部から黒板類１２１の表面に沿って引き出す。
【００４２】
そして、前記マグネットスクリーン３をケース２内部から所定長さ分引き出した段階で、前記ケース２の底面のケースマグネット７を図８下欄に示すように黒板類１２１に磁着させる。
【００４３】
これにより、前記ケース一体型マグネットスクリーン１のマグネットスクリーン３を黒板類１２１の表面に沿って密接又は近接状態で、かつ、エアーの侵入や、弛みの発生を伴うことなく外観体裁よく張り付けることができる。
【００４４】
（実施例２）
次に、図９乃至図１６を参照して本考案の実施例２に係るケース一体型マグネットスクリーン１Ａについて説明する。
【００４５】
なお、本実施例２に係るケース一体型マグネットスクリーン１Ａにおいて、既述した実施例１の場合と同一の要素には同一の符号を付し、その詳細な説明は省略する。
【００４６】
本実施例２に係るケース一体型マグネットスクリーン１Ａは、基本的構成は既述した実施例１の場合と略同様であるが、前記一対のガイドローラー９、９に替えて、図９乃至図１２に示すように、前記ケース２におけるマグネットスクリーン３の巻き込み又は引き出し領域であるスリットの近傍で、かつ、ケース２に沿って一対のローラー固定具８、８により回転可能に支持されたロングガイドローラー１０を設けたことが特徴である。
【００４７】
次に、本実施例２に係るケース一体型マグネットスクリーン１Ａの具体的使用態様について、図１３乃至図１６を参照して説明する。
【００４８】
まず、図１３に示すように、前記エンドバー４側の一対のマグネット５、５を利用して前記前記エンドバー４を黒板類１２１の所定位置（例えば図１３において右側端部近傍）に垂直配置に磁着する。
【００４９】
次に、図１４、図１５に示すように、前記ケース２を両手で支えつつ前記ケース２をロングガイドローラー１０がマグネットスクリーン面に当接するようにケース２を回動させる。
【００５０】
次に、図１６に示すように、ロングガイドローラー１０をマグネットスクリーン面に当接させつつ前記ケース２を両手で支えながら図１６上欄に示すように左方に移動させ、前記マグネットスクリーン３をケース２内部から黒板類１２１の表面に沿って引き出す。
【００５１】
そして、前記マグネットスクリーン３をケース２内部から所定長さ分引き出した段階で、前記ケース２の底面のケースマグネット７を図１６下欄に示すように黒板類１２１に磁着させ、ケース２を固定する。
【００５２】
これにより、前記ケース一体型マグネットスクリーン１のマグネットスクリーン３を黒板類１２１の表面に沿って密接又は近接状態で、かつ、エアーの侵入や、弛みの発生を伴うことなく外観体裁よく張り付けることができる。
【００５３】
（実施例３）
次に、図１７乃至図２４を参照して本考案の実施例３に係るケース一体型マグネットスクリーン１Ｂについて説明する。
【００５４】
なお、本実施例３に係るケース一体型マグネットスクリーン１Ｂにおいて、既述した実施例１の場合と同一の要素には同一の符号を付し、その詳細な説明は省略する。
【００５５】
本実施例３に係るケース一体型マグネットスクリーン１Ｂは、基本的構成は既述した実施例１の場合と略同様であるが、前記一対のガイドローラー９、９に替えて、図１７乃至図２０に示すように、前記ケース２におけるマグネットスクリーン３の巻き込み又は引き出し領域であるスリットの近傍で、かつ、前記ケース２に沿って例えば金属製又は樹脂製のスクレーパー（へら）１１を取り付たことが特徴である。
【００５６】
前記スクレーパー１１は、図１９に示すように、基部１１ａをケース２の壁面に添着するとともに基部１１ａに鋭角に屈曲形成した突部１１ｂの先端縁１１ｃを前記マグネットスクリーン３の伸張領域側に向けて突出形成している。
【００５７】
次に、本実施例３に係るケース一体型マグネットスクリーン１Ｂの具体的使用態様について、図２１乃至図２４を参照して説明する。
【００５８】
まず、図２１に示すように、前記エンドバー４側の一対のマグネット５、５を利用して前記前記エンドバー４を黒板類１２１の所定位置（例えば、図２１において右側端部近傍）に垂直配置に磁着する。
【００５９】
次に、図２２、図２３に示すように、前記ケース２を両手で支えつつ前記ケース２を前記スクレーパー１１の先端縁１１ｃがマグネットスクリーン面に当接するように回動させ、この状態で前記ケース２を黒板類１２１の表面に沿って移動させる。
【００６０】
更に、図２４に示すように、前記ケース２を黒板類１２１の表面に沿って、かつ、前記スクレーパー１１によりマグネットスクリーン３を押しつけつつこのマグネットスクリーン３が所望の長さとなるように移動させ、前記ケース２の底面のケースマグネット７を図２４下欄に示すように黒板類１２１に磁着させ、ケース２を固定する。
【００６１】
これにより、前記ケース一体型マグネットスクリーン１のマグネットスクリーン３を前記スクレーパー１１を利用して黒板類１２１の表面に沿って密接状態で、かつ、エアーの侵入や、弛みの発生を伴うことなく外観体裁よく張り付けることができる。
【００６２】
（実施例４）
次に、図２５乃至図３２を参照して本考案の実施例４に係るケース一体型マグネットスクリーン１Ｃについて説明する。
【００６３】
なお、本実施例４に係るケース一体型マグネットスクリーン１Ｃにおいて、既述した実施例１、実施例３の場合と同一の要素には同一の符号を付し、その詳細な説明は省略する。
【００６４】
本実施例４に係るケース一体型マグネットスクリーン１Ｃは、基本的構成は既述した実施例１の場合と略同様であるが、図２５乃至図２８に示すように、実施例１の一対のガイドローラー９、９と、実施例３のスクレーパー１１とをケース２に並設したことが特徴である。
【００６５】
次に、本実施例４に係るケース一体型マグネットスクリーン１Ｃの具体的使用態様について、図２９乃至図３２を参照して説明する。
【００６６】
まず、図２９に示すように、前記エンドバー４側の一対のマグネット５、５を利用して前記前記エンドバー４を黒板類１２１の所定位置（例えば図２９において右側端部近傍）に垂直配置に磁着する。
【００６７】
次に、図３０、図３１に示すように、前記ケース２を両手で支えつつ前記ケース２を前記スクレーパー１１の先端縁１１ｃがマグネットスクリーン面に当接するように、かつ、前記一対のガイドローラー９、９が黒板類１２１の表面に転接するようにケース２を回動させ、この状態で前記ケース２を黒板類１２１の表面に沿って移動させる。
【００６８】
なお、図３１においては、前記スクレーパー１１の先端縁１１ｃがマグネットスクリーン面に当接する状態のみを示し、前記一対のガイドローラー９、９が黒板類１２１の表面に転接する状態については図示省略する。
【００６９】
次に、図３２に示すように、前記ケース２を黒板類１２１の表面に沿って、かつ、前記スクレーパー１１によりマグネットスクリーン３を押しつけつつこのマグネットスクリーン３が所望の長さとなるように移動させ、前記ケース２の底面のケースマグネット７を図３２下欄に示すように黒板類１２１に磁着させ、ケース２を固定する。
【００７０】
これにより、前記ケース一体型マグネットスクリーン１のマグネットスクリーン３を前記スクレーパー１１と、前記一対のガイドローラー９、９との双方を利用して、黒板類１２１の表面に沿ってより密接状態で、かつ、エアーの侵入や、弛みの発生を伴うことなく外観体裁よく張り付けることができる。
【００７１】
（実施例５）
次に、図３３、図３４を参照して本考案の実施例５について、実施例３に係るスクレーパー１１を取り付けたケース一体型マグネットスクリーン１Ｂを使用する場合を例にとって説明する。
【００７２】
本実施例５においては、黒板類１２１の表面に、前記ケース２又はエンドバー４を黒板類１２１に対して一定方向に位置決めして磁着させるための案内を行う方眼状クロス線からなる位置決め案内指標２１を設けたものを使用することが特徴である．
【００７３】
次に、本実施例５において、前記ケース一体型マグネットスクリーン１Ｂの具体的使用態様について、図３３、図３４を参照して説明する。
【００７４】
まず、図３３に示すように、前記エンドバー４側の一対のマグネット５、５を利用してかつ、方眼状クロス線からなる位置決め案内指標２１を利用して、前記エンドバー４を黒板類１２１の所定位置（例えば図３３において右側端部近傍）に正確に垂直配置に磁着し、更に、前記ケース２を両手で支えつつ前記ケース２を前記スクレーパー１１の先端縁１１ｃがマグネットスクリーン面に当接するように回動させる。
【００７５】
次に、図３４に示すように、前記ケース２を黒板類１２１の表面に沿って移動させマグネットスクリーン３を引き出し、更に、前記ケース２を黒板類１２１の表面に沿って、かつ、前記スクレーパー１１によりマグネットスクリーン３を押しつけつつこのマグネットスクリーン３が所望の長さとなるように移動させ、前記ケース２の底面のケースマグネット７を図３４下欄に示すように黒板類１２１に磁着させ、ケース２を固定する。
【００７６】
これにより、前記ケース一体型マグネットスクリーン１Ｂのマグネットスクリーン３を、前記スクレーパー１１を利用して黒板類１２１の表面に沿って密接状態で、かつ、エアーの侵入や、弛みの発生を伴うことなく、しかも前記位置決め案内指標２１によって正確に一定方向（垂直方向）に位置決めした外観体裁が極めて良好な状態で張り付けることができる。
【００７７】
なお、実施例３に係るスクレーパー１１を取り付けたケース一体型マグネットスクリーン１Ｂを使用する場合の他、前記ケース一体型マグネットスクリーン１、１Ａ、１Ｃを使用する場合においても、上述した場合と同様な作用、効果を発揮させることができる。
【００７８】
（実施例６）
次に、図３５乃至図３７を参照して本考案の実施例５について説明する。
【００７９】
本実施例６においては、図３５に示すように、黒板類１２１の表面に、前記ケース２又はエンドバー４を黒板類１２１に対して一定方向に位置決めして磁着させるための案内を行うＬ型案内線からなる位置決め案内指標２２を設けたものを使用することが特徴である．
【００８０】
次に、本実施例６において、前記ケース一体型マグネットスクリーン１Ｂの具体的使用態様について説明する。
【００８１】
まず、図３６に示すように、前記エンドバー４側の一対のマグネット５、５を利用してかつ、Ｌ型案内線からなる位置決め案内指標２２を利用して、前記エンドバー４を黒板類１２１の所定位置（例えば図３６において右側端部近傍）に正確に垂直配置に磁着し、更に、図３６に示すように、前記ケース２を両手で支えつつ前記ケース２を前記スクレーパー１１の先端縁１１ｃがマグネットスクリーン面に当接するように回動させる。
【００８２】
次に、図３７に示すように、前記ケース２を黒板類１２１の表面に沿って移動させマグネットスクリーン３を引き出し、更に、前記ケース２を黒板類１２１の表面に沿って、かつ、前記スクレーパー１１によりマグネットスクリーン３を押しつけつつこのマグネットスクリーン３が所望の長さとなるように移動させ、前記ケース２の底面のケースマグネット７を図３７下欄に示すように黒板類１２１に磁着させ、ケース２を固定する。
【００８３】
これにより、前記ケース一体型マグネットスクリーン１Ｂのマグネットスクリーン３を前記スクレーパー１１を利用して黒板類１２１の表面に沿って密接状態で、かつ、エアーの侵入や、弛みの発生を伴うことなく、しかも前記位置決め案内指標２２によって正確に一定方向（垂直方向）に位置決めした外観体裁が極めて良好な状態で張り付けることができる。
【００８４】
なお、実施例３に係るスクレーパー１１を取り付けたケース一体型マグネットスクリーン１Ｂを使用する場合の他、前記ケース一体型マグネットスクリーン１、１Ａ、１Ｃを使用する場合においても、上述した場合と同様な作用、効果を発揮させることができる。
【００８５】
また、上述した各実施例においては、マグネットスクリーン３を黒板類１２１に対して水平方向に張り付ける場合について説明したが、マグネットスクリーン３を黒板類１２１に対して上述した場合と同様な態様で垂直方向に貼り付けることも勿論可能である。
【産業上の利用可能性】
【００８６】
本考案に係るケース一体型マグネットスクリーンは、黒板やホワイトボードに張り知り付ける他、磁性を有する平坦なパネル類、スチール家具の扉の表面等への張り付け用としても広範に応用可能である。
【符号の説明】
【００８７】
１    ケース一体型マグネットスクリーン
１Ａ  ケース一体型マグネットスクリーン
１Ｂ  ケース一体型マグネットスクリーン
１Ｃ  ケース一体型マグネットスクリーン
２    ケース
２ａ  取っ手
３    マグネットスクリーン
４    エンドバー
５    マグネット
６    取っ手
７    ケースマグネット
８    ローラー固定具
９    ガイドローラー
１０    ロングガイドローラー
１１    スクレーパー
１１ａ  基部
１１ｂ  突部
１１ｃ  先端縁
２１    位置決め案内指標
２２    位置決め案内指標
１２１    黒板類
【図１】
0003195909.tif 000003
【図２】
0003195909.tif 000004
【図３】
0003195909.tif 000005
【図４】
0003195909.tif 000006
【図５】
0003195909.tif 000007
【図６】
0003195909.tif 000008
【図７】
0003195909.tif 000009
【図８】
0003195909.tif 000010
【図９】
0003195909.tif 000011
【図１０】
0003195909.tif 000012
【図１１】
0003195909.tif 000013
【図１２】
0003195909.tif 000014
【図１３】
0003195909.tif 000015
【図１４】
0003195909.tif 000016
【図１５】
0003195909.tif 000017
【図１６】
0003195909.tif 000018
【図１７】
0003195909.tif 000019
【図１８】
0003195909.tif 000020
【図１９】
0003195909.tif 000021
【図２０】
0003195909.tif 000022
【図２１】
0003195909.tif 000023
【図２２】
0003195909.tif 000024
【図２３】
0003195909.tif 000025
【図２４】
0003195909.tif 000026
【図２５】
0003195909.tif 000027
【図２６】
0003195909.tif 000028
【図２７】
0003195909.tif 000029
【図２８】
0003195909.tif 000030
【図２９】
0003195909.tif 000031
【図３０】
0003195909.tif 000032
【図３１】
0003195909.tif 000033
【図３２】
0003195909.tif 000034
【図３３】
0003195909.tif 000035
【図３４】
0003195909.tif 000036
【図３５】
0003195909.tif 000037
【図３６】
0003195909.tif 000038
【図３７】
0003195909.tif 000039
【図３８】
0003195909.tif 000040
【図３９】
0003195909.tif 000041
【図４０】
0003195909.tif 000042
【図４１】
0003195909.tif 000043
【図４２】
0003195909.tif 000044
【図４３】
0003195909.tif 000045